(57)【特許請求の範囲】
【請求項１】
口部から肩部を介して繋がる胴部の下端に、底部が一体に繋がる合成樹脂製容器であって、
胴部側壁の底部側を凹ませてなる減圧吸収パネルの底壁に、当該減圧吸収パネルを胴部周方向に横断する凸条を設け、
当該凸条は、口部に向かって指向する少なくとも１つの屈曲部分を有し、当該屈曲部分の端縁がそれぞれ、胴部周方向に間隔を空けて、減圧吸収パネルの凹みを形作る凹部側壁に一体に連結されたものであることを特徴とする合成樹脂製容器。
【請求項２】
請求項１において、凸条は、１つの屈曲部分を有する弓状の凸条であることを特徴とする合成樹脂製容器。
【請求項３】
請求項１において、凸条は、複数の屈曲部分を有する波状の凸条であることを特徴とする合成樹脂製容器。
【請求項４】
請求項１乃至３のいずれか１項において、胴部が、複数の胴部側壁により多角柱形状に形作られていることを特徴とする合成樹脂製容器。
【発明の詳細な説明】
【技術分野】
【０００１】
本発明は、荷重に対する耐性に優れて、高い保形性を有する合成樹脂製容器に関するものである。
【背景技術】
【０００２】
合成樹脂製ボトル（以下、「ボトル」）に内容物を充填するライン（以下、「充填ライン」）では、ボトルが互いに押し合いながら密集した状態で搬送されるため、ボトル同士の接触やコンベアの両側に配置されたガイド部との接触によって、ボトル胴部の底部側には、ボトル側面方向に荷重がかかる為、いわゆる、ラインプレッシャが加わり、これがボトルを薄肉化した場合、ボトルの潰れ変形（座屈変形）を招くことは既知である。このため、出願人は、胴部と底部との間に段部を形成することで、ボトル径方向の剛性を向上させるものを提案済みである（例えば、特許文献１参照）。
【０００３】
また、出願人は、同文献にて、胴部側壁の底部側に減圧吸収パネルを設けることで、ボトルの内圧変化を吸収し、ボトルの変形を効果的に防止することも提案済みである。
【０００４】
更に、減圧吸収パネルに、当該パネルを胴部周方向に沿って水平に横断する補強用の横リブを設けることで、充填時に生じる減圧吸収パネルでの膨らみを抑制できることも既知である（例えば、特許文献２参照）。このため、特許文献１に記載のボトルにおいても、減圧吸収パネルを横断するように、胴部周方向に沿って水平に延在する補強用の凸条（横リブ）が設けられている（特許文献１、図１、３参照）。
【先行技術文献】
【特許文献】
【０００５】
【特許文献１】特開２００８−３０８１７号公報
【特許文献２】特開２００３−１０４３４４号公報
【発明の概要】
【発明が解決しようとする課題】
【０００６】
しかしながら、本願発明者は、胴部側壁の底部側に設けた減圧吸収パネルに、胴部周方向に沿って水平に延在する横リブを設けた場合、充填ラインで生じるラインプレッシャによって、当該横リブを基点とした折れ曲がり（座屈変形）が生じることを認識するに至った。
【０００７】
本発明の目的とするところは、減圧吸収パネルの保形性を向上させることで、美観に優れた新規な合成樹脂製容器を提供することにある。
【課題を解決するための手段】
【０００８】
本発明は、口部から肩部を介して繋がる胴部の下端に、底部が一体に繋がる合成樹脂製容器であって、
胴部側壁の底部側に設けられた、胴部内側に向かって凹んだ減圧吸収パネルの底壁に、凸条を設け、当該凸条は、胴部に向かって指向する少なくとも１つの屈曲部分を有し、当該屈曲部分の端縁がそれぞれ、胴部周方向に間隔を空けて減圧吸収パネルの内縁に一体に連結されたものであることを特徴とするものである。本発明では、胴部は、複数の胴部側壁により多角柱形状に形作ることができる。
【０００９】
本発明では、凸条は、１つの屈曲部分を有する弓状の凸条とすることができる。また、凸条は、複数の屈曲部分を有する波状の凸条とすることもできる。
【発明の効果】
【００１０】
本発明によれば、胴部側壁の底部側を胴部内側に凹ませてなる減圧吸収パネルの底壁に、当該減圧吸収パネルを胴部周方向に横断する凸条を設けたことから、充填時に生じる減圧吸収パネルでの膨らみを抑制できる。
【００１１】
また、本発明によれば、上記凸条が、口部に向かって指向する少なくとも１つの屈曲部分を有し、当該屈曲部分の端縁がそれぞれ、胴部周方向に間隔を空けて減圧吸収パネルの凹部側壁に一体に連結されたものであるから、胴部側壁に加わる荷重によって、減圧吸収パネルを横断する凸条を基点にしたボトルの潰れ変形を生じさせるような場合でも、ボトルの潰れ変形に対する復元力（ばね効果）が発揮される。このため、ボトル胴部に生じる、凸条を基点とした折れ曲がりによる座屈変形をも防止できる。
【００１２】
従って、本発明によれば、減圧吸収パネルの保形性が向上することで、美観に優れた新規な合成樹脂製容器を提供することができる。
【図面の簡単な説明】
【００１３】
【図１】本発明の合成樹脂製容器の一形態である、ＰＥＴ（ポリエチレンテレフタレート）ボトル１を示す正面図である。
【図２】同形態のＰＥＴボトル１を示す側面図である。
【図３】(a)は、同形態のＰＥＴボトル１に係る、減圧吸収パネルを拡大して示す要部正面図であり、(b)は、本発明に従う減圧吸収パネルの他の形態を拡大して示す要部正面図である。
【発明を実施するための形態】
【００１４】
以下、図面を参照して、本発明の一形態である、角形のＰＥＴボトルを詳細に説明する。
【００１５】
ＰＥＴボトル１は、内容物を充填及び排出する口部２、この口部２から拡径する肩部３、この肩部３と共に内容物の充填空間を形成する胴部４及び底部５を一体に備える。ＰＥＴボトル１は、図示せぬプリフォームを二軸延伸ブロー成形してなる。
【００１６】
胴部４は、幅の広い２つの胴部側壁（以下、「長手幅側壁」）４ａと、長手幅側壁４ａよりも幅の狭い２つの胴部側壁（以下、「短手幅側壁」）４ｂをそれぞれ、胴部軸線（ボトル軸線Ｏ）を取り囲むように対向配置すると共に、長手幅側壁４ａと短手幅側壁４ｂとの間を胴部軸線周りに、長手幅側壁４ａ及び短手幅側壁４ｂよりも幅の狭い、柱状の胴部側壁（以下、「角部側壁」）４ｃにより一体に繋げることで、四隅が切り欠かれたほぼ矩形の八角柱形状に形作られている。
【００１７】
また、胴部４は、ウェスト部４ｗを介して上側胴部と下側胴部とに区画されている。また、下側胴部の下端と底部５との間には、ボトル軸線Ｏ周りに沿って全周に亘って環状の段部６が設けられている。このため、底部５は、環状の段部６の下端からボトル軸線Ｏに沿って縮径しながら延在し、その下端に、環状の接地面５ａが形成される。
【００１８】
更に、胴部４は、長手幅側壁４ａ及び短手幅側壁４ｂにそれぞれ、底部５側に減圧吸収パネル７が設けられている。減圧吸収パネル７は、図３(a)に示すように、胴部内側（ボトル軸線Ｏ側）に向かって凹んだ凹状のパネルである。減圧吸収パネル７の凹みを形作る凹部側壁７ａは、長手幅側壁４ａ及び短手幅側壁４ｂとの段部としてなり、胴部周方向（ボトル軸線Ｏ周り）に沿って水平に延在する領域部分７ａ1と、領域部分７ａ1の両端を湾曲させながら底部５側に向かって延在させると共に、当該底部５側で湾曲するように連結される領域部分７ａ2とで形作られている。
【００１９】
また、減圧吸収パネル７は、凹部側壁７ａによって取り囲まれた底壁７ｃに、この減圧吸収パネル７を胴部周方向に横断すると共に胴部外向きに膨出する凸条８が設けられている。凸条８は、図３(a)に示すように、底壁７ｃからボトル外向きに、長手幅側壁４ａ及び短手幅側壁４ｂの表面を超えない高さで一体に膨出している。これにより、減圧吸収パネル７は、本来の機能である、減圧吸収機能を維持することができる。
【００２０】
また、凸条８は、ボトル軸線Ｏに沿って口部２に向かって指向する、１つの屈曲部分８ａを有し、当該屈曲部分８ａの端縁８ｂがそれぞれ、胴部周方向に間隔を空けて、凹部側壁７ａに一体に連結されることで、弓状（本形態では「放物線状」）の凸条としてなる。これにより、減圧吸収パネル７に対してボトル軸線Ｏに沿った圧縮力や伸び力が生じても、その力が解放されると、凸条８が、ばねように機能することによって復元力（ばね効果）を生じさせる。
【００２１】
上述のとおり、本形態によれば、長手幅側壁４ａ及び短手幅側壁４ｂの底部５側を胴部内側に凹ませてなる減圧吸収パネル７の底壁７ｃに、この減圧吸収パネル７を胴部周方向に横断する凸条８を設けたことから、充填時に生じる減圧吸収パネル７での膨らみを抑制できる。
【００２２】
また、本形態によれば、凸条８が、口部２に向かって指向する１つの屈曲部分８ａを有し、当該屈曲部分８ａの端縁８ｂがそれぞれ、胴部周方向に間隔を空けて凹部側壁７ａに一体に連結されたものであるから、胴部側壁に加わる荷重によって、減圧吸収パネル７を横断する凸条８を基点にしたボトルの潰れ変形を生じさせるような場合でも、ボトル１の潰れ変形に対する復元力（ばね効果）が発揮される。このため、ボトル胴部４に生じる、凸条８を基点とした折れ曲がりによる座屈変形をも防止できる。
【００２３】
例えば、ボトル１を充填ラインで用いる場合、長手幅側壁４ａ、短手幅側壁４ｂ及び角部側壁４ｃの底部５側にはそれぞれ、ラインプレッシャ（例えば、コンベアの両側に配置されたガイド部との接触に伴い生じる荷重や、コンベア搬送時の複数のボトルが互いに接触することに伴い生じる荷重）が加わる。このため、長手幅側壁４ａ及び短手幅側壁４ｂの底部５側に加わるラインプレッシャによって、減圧吸収パネル７を横断する凸条８を基点にしたボトル１の潰れ変形を生じさせることも考えられる。
【００２４】
加えて、本形態では、図１の符号Ｌに示すように、減圧吸収パネル７は、胴部４がコンベアの両側に配置されたガイド部に接触する位置よりも低い位置に設けられている。この場合、ボトル１に、凸条８を基点にした潰れ変形を生じると、その復元は困難である。
【００２５】
これに対し、本形態の如く、凸条８が、口部２に向かって指向する１つの屈曲部分８ａを有し、当該屈曲部分８ａの端縁８ｂがそれぞれ、胴部周方向に間隔を空けて凹部側壁７ａに一体に連結すれば、長手幅側壁４ａ及び短手幅側壁４ｂの底部５側に加わるラインプレッシャによって、減圧吸収パネル７を横断する凸条８を基点にしたボトル１の潰れ変形を生じさせるような場合でも、ボトル１の潰れ変形に対する復元力（ばね効果）が発揮される。このため、ボトル胴部４に生じる、凸条８を基点とした折れ曲がりによる座屈変形をも防止できる。
【００２６】
従って、本形態によれば、減圧吸収パネル７の保形性を向上させることで、美観に優れた新規なＰＥＴボトルを提供することができる。
【００２７】
また、本発明に従う、凸条８は、口部２に向かって指向する少なくとも１つの屈曲部分８ａを有し、当該屈曲部分８ａの端縁８ｂがそれぞれ、胴部周方向に間隔を空けて凹部側壁７ａに一体に連結されたものであればよい。このため、凸条８は、図３(b)に示すように、２つの屈曲部分８ａを有する波状のものとすることもできる。
【００２８】
なお、屈曲部分８ａの個数は、複数であればよく、２つに限定されるものではない。また、屈曲部分８ａは、復元力（ばね効果）を発揮させるためには、本形態の如く、凸条８が放物線状の形状となるように、湾曲したものであることが好ましいが、復元力（ばね効果）を発揮させる屈曲形状であれば、これに限定されることはない。
【００２９】
上述したところは、本発明の一形態を示したにすぎず、本発明に従えば、種々の変更を加えることができる。例えば、胴部４と底部５との間には、段部６を設けることなく、直結した構成のものとすることができる。また、減圧吸収パネル７の周囲の構成も、適宜変更することができる。更に、胴部４もウェスト部４ｗを設けることなく、胴部の上側及び下側を一体の側壁で構成することができる。ボトル１の多角柱形状も、本形態のように、長手幅側壁と短手幅側壁とで構成された横断面が扁平なものに限定されることなく、長手幅側壁と短手幅側壁の同等の幅を有する胴部幅側壁にし、又は、胴部幅側壁と角部側壁との幅を同等とすることで正多角柱形状のものとすることも可能である。更に、ボトル１は、胴部が円柱形状のものとすることもできる。
【産業上の利用可能性】
【００３０】
本発明は、口部から肩部を介して繋がる胴部の下端に、底部が一体に繋がる合成樹脂製容器であれば、様々な容器に適用することができる。
【符号の説明】
【００３１】
１    ＰＥＴボトル（合成樹脂製容器）
２    口部
３    肩部
４    胴部
４ａ  長手幅側壁（胴部幅側壁）
４ｂ  短手幅側壁（胴部幅側壁）
４ｃ  角部側壁（胴部側壁）
５    底部
５ａ  接地面
６    段部
７    減圧吸収パネル
７ａ  凹部側壁
７ｃ  底壁
８    凸条
８ａ  屈曲部分
【図１】
0005587124.tif 000002
【図２】
0005587124.tif 000003
【図３】
0005587124.tif 000004